(57)【要約】【課題】液体が作業者に付着することを抑制できる背負式散布装置を提供すること。【解決手段】作業者が背負いながら液体を散布する背負式散布装置１において、液体を圧送するためのポンプを、タンク２に対して後側に取り付け、タンク２の底面２４に、左右方向に延在し、底面２４よりも下方に突出する水切り部２５を設ける。このような構成により、ポンプ等から液体が漏れた場合に、前側へ向かう液体を、水切り部２５から下方に落下させる。【選択図】図５
2014113531.tif 000002
【特許請求の範囲】
【請求項１】
作業者が背負いながら液体を散布する背負式散布装置（１）であって、
前記作業者が背負い、液体を貯留するタンク（２）と、
前記タンク（２）内の液体を散布すべく圧送するポンプ（３）と、を備え、
前記ポンプ（３）は、前記タンク（２）に対して、後側に取り付けられており、
前記タンク（２）は、その底面（２４）において左右方向に延在し、前記底面（２４）よりも下方に突出する水切り部（２５）を有している、背負式散布装置（１）。
【請求項２】
前記タンク（２）に取り付けられ、前記ポンプ（３）を下方及び後方より覆うブラケット（６）を備え、
前記ブラケット（６）の底部（６１）の前縁は、前記水切り部（２５）よりも上方に位置している、請求項１記載の背負式散布装置（１）。
【請求項３】
前記タンク（２）及び前記ブラケット（６）は、それぞれその下端部に下方に突出する脚部（２６，６７）を有しており、
前記水切り部（２５）の下端部は、前記タンク（２）の脚部（２６）の下端部及び前記ブラケット（６）の前記脚部（６７）の下端部よりも上方に位置している、請求項２記載の背負式散布装置（１）。
【請求項４】
前記タンク（２）の前記脚部（２６）は、前記水切り部（２５）よりも前方に配置されており、
前記タンク（２）の前記脚部（２６）の底面は、後方から前方に向かって下方に傾斜する傾斜面である、請求項３記載の背負式散布装置（１）。
【発明の詳細な説明】
【技術分野】
【０００１】
本発明は、作業者が背負いながら液体を散布する背負式散布装置に関する。
【背景技術】
【０００２】
従来、背負式散布装置として、例えば薬液を噴霧する噴霧機が知られている（例えば、特許文献１参照）。特許文献１の噴霧機は、薬液を貯留する薬液タンク、薬液タンク内の薬液を噴霧ノズルに圧送するポンプ、及び、噴霧圧を調節する調圧弁等を備えている。この噴霧機では、薬液タンクの下部であって、前側（前後方向において作業者と当接する側）の部分に、前方、下方及び側方に開放された凹部が設けられている。凹部には、ポンプ及び調圧弁等が配置され、ポンプ及び調圧弁等を覆うようにカバーが取り付けられている。
【先行技術文献】
【特許文献】
【０００３】
【特許文献１】特許第４１８１４７４号公報
【発明の概要】
【発明が解決しようとする課題】
【０００４】
上述のような背負式散布装置においては、ポンプ等から薬液が漏れた場合に、薬液が作業者に付着することを抑制できる技術の開発が望まれている。
【０００５】
本発明は、液体が作業者に付着することを抑制できる背負式散布装置を提供することを目的とする。
【課題を解決するための手段】
【０００６】
本発明の背負式散布装置（１）は、作業者が背負いながら液体を散布する背負式散布装置（１）であって、作業者が背負い、液体を貯留するタンク（２）と、タンク（２）内の液体を散布すべく圧送するポンプ（３）と、を備え、ポンプ（３）は、タンク（２）に対して、後側に取り付けられており、タンク（２）は、その底面（２１）において左右方向に延在し、底面（２１）よりも下方に突出する水切り部（２５）を有している。
【０００７】
この背負式散布装置（１）では、液体を圧送するためのポンプ（３）は、タンク（２）に対して後側に取り付けられており、タンク（２）は、その底面（２１）に左右方向に延在し、底面（２１）よりも下方に突出する水切り部（２５）を有している。ポンプ（３）等から液体が漏れた場合、前側へ向かう液体は、水切り部（２５）から下方に落下することになる。従って、漏れた液体が作業者に付着することを抑制できる。
【０００８】
ここで、本発明の背負式散布装置（１）は、タンク（２）に取り付けられ、ポンプ（３）を下方及び後方より覆うブラケット（６）を備え、ブラケット（６）の底部（６１）の前縁は、水切り部（２５）よりも上方に位置していてもよい。この場合、ポンプ（３）等から液体が漏れた際に、前側へ向かう液体が水切り部（２５）を回り込みにくくなる。従って、液体が作業者に付着することをさらに抑制できる。
【０００９】
また、タンク（２）及びブラケット（６）は、それぞれその下端部に下方に突出する脚部（２６，６７）を有しており、水切り部（２５）の下端部は、タンク（２）の脚部（２６）の下端部及びブラケット（６）の脚部（６７）の下端部よりも上方に位置していてもよい。この場合、例えば、背負式散布装置（１）を地面等に載置した際に、水切り部（２５）の摩耗及び変形等を抑制できる。
【００１０】
また、タンク（２）の脚部（２６）は、水切り部（２５）よりも前方に配置されており、タンク（２）の脚部（２６）の底面は、後方から前方に向かって下方に傾斜する傾斜面であってもよい。この場合、タンク（２）は、例えば、水切り部（２５）から前側の部分を成型する前型と、水切り部（２５）よりも後側の部分を成型する後型とにより成型することが可能であり、前型を離型する際に、脚部（２６）の傾斜面に沿って比較的容易に離型できる。
【発明の効果】
【００１１】
本発明によれば、液体が作業者に付着することを抑制できる背負式散布装置を提供することが可能となる。
【図面の簡単な説明】
【００１２】
【図１】本発明の実施形態に係る背負式散布装置の背面図である。
【図２】図１に示す背負式散布装置の右側面図である。
【図３】図２中のＡ部を示す拡大図である。
【図４】図１に示す背負式散布装置の左側面図である。
【図５】図１に示す背負式散布装置を後方且つ下方から見た斜視図である。
【図６】図５においてブラケットが外された背負式散布装置を示す斜視図である。
【図７】図１に示す背負式散布装置を前方且つ下方から見た斜視図である。
【図８】図６中のポンプユニット及び蓋を示す分解斜視図である。
【発明を実施するための形態】
【００１３】
以下、本発明に係る背負式散布装置の好適な実施形態について添付図面を参照しながら説明する。以下の説明において、上下及び前後の語は、装置を背負った作業者を基準とした方向であり、左右の語は、装置を背負った作業者を外部から見た場合を基準とした方向である。
【００１４】
図１は、本発明の実施形態に係る背負式散布装置の背面図、図２は、図１に示す背負式散布装置の右側面図、図３は、図２中のＡ部を示す拡大図、図４は、図１に示す背負式散布装置の左側面図、図５は、図１に示す背負式散布装置を後方且つ下方から見た斜視図、図６は、図５においてブラケットが外された背負式散布装置を示す斜視図、図７は、図１に示す背負式散布装置を前方且つ下方から見た斜視図、図８は、図６中のポンプユニット及び蓋を示す分解斜視図である。
【００１５】
図１〜図８に示されるように、背負式散布装置である背負式動力噴霧機１は、作業者が薬液タンク２等を背負いながら、薬液タンク２内に貯留された薬液（液体）を噴霧するものである。背負式動力噴霧機１は、薬液タンク２に加えて、ポンプ３、調圧弁４及びモータ５を有するポンプユニットＵ（図６参照）等を備えている。なお、図面において、作業者が薬液タンク２等を背負うための背負バンドは取り外されている。
【００１６】
図６に示されるように、薬液タンク２は、ポンプユニットＵ等が配置される凹部２１を有している。凹部２１は、薬液タンク２の下部であって後部の外周面に凹設されている。凹部２１は、後述するブラケット６が外された状態において、下方、後方及び左右側方に向かって開放されている。薬液タンク２は、ポンプ３に薬液を供給する供給口を有している。供給口は、凹部２１を形成する壁面のうち、後方を向く壁面２２から後方に向かって突出しており、吸水ポート２３ａ及び余水ポート２３ｂ（図８参照）を有する蓋２３により覆われている。蓋２３は、供給口に外挿され、バンドＢ１により締め付けられている。図２〜４に示されるように、薬液タンク２の前面には、作業者の背中に当接する背当てＣが取り付けられている。なお、図７においては、背当てＣは取り外されている。
【００１７】
図６に示されるように、上述のように、ポンプユニットＵは、凹部２１に配置されている。すなわち、ポンプユニットＵは、薬液タンク２に対して後側に取り付けられている。ポンプ３は、薬液タンク２内の薬液をノズル（不図示）から散布すべく圧送するためのものであり、薬液タンク２に接続されている。図８に示されるように、ポンプ３は、薬液タンク２から薬液を吸入するポンプ入口管３１が、蓋２３の吸水ポート２３ａに取り付けられることにより、薬液タンク２に取り付けられている。吸水ポート２３ａとポンプ入口管３１との間には、薬液を吸入するための吸水ホースＨが介されており、吸水ポート２３ａ、吸水ホースＨ及びポンプ入口管３１は、板バンドＢ２により共締めにされている。
【００１８】
調圧弁４は、ポンプ３とノズルとの間に接続されており、ノズルから散布される薬液の圧力を調節する。調圧弁４は、余剰分の薬液を薬液タンク２に戻す余水管４１が、蓋２３の余水ポート２３ｂに取り付けられることにより、薬液タンク２に取り付けられている。余水ポート２３ｂは、板バンドＢ３により余水管４１に締め付けられている。また、調圧弁４の調圧弁入口管４２にポンプ３のポンプ出口管３２が内挿されていることにより、配管を介することなくポンプ３と調圧弁４とが接続されている。モータ５は、ポンプ３に固定されている。なお、図面において、調圧弁４とノズルとを接続する配管は取り外されている。
【００１９】
図１〜７に示されるように、薬液タンク２は、その底面２４に、下方に突出する水切り部２５を有している。水切り部２５は、底面２４と後方を向く壁面２２とが交わる部分、すなわち底面２４の後端部に設けられ、底面２４において、薬液タンク２の左端部から右端部に亘って左右方向に延在している。水切り部２５は、延在方向の全域において、底面２４よりも下方に突出しており、底面２４と一体に形成されている。
【００２０】
凹部２１には、ブラケット６が取り付けられている。ブラケット６は、ポンプユニットＵを下方、後方及び左右側方から覆っている。具体的には、ブラケット６は、底部６１（図５参照）、後部６２、右側部６３及び左側部６４を有し、底部６１、後部６２、右側部６３及び左側部６４が、ポンプユニットＵを、それぞれ下方、後方、右側方及び左側方から覆っている。
【００２１】
底部６１の前縁、後部６２の上縁、右側部６３の前縁並びに上縁、及び、左側部６４の前縁並びに上縁は、ブラケット６における薬液タンク２への合わせ部となっている。底部６１の前縁は、水切り部２５よりも上方に位置している。右側部６３には、背負式動力噴霧機１の電源スイッチ６５が設けられている。左側部６４には、モータ５のバッテリが収容されるバッテリケース６６が設けられている（図４参照）。
【００２２】
薬液タンク２及びブラケット６は、それぞれその下端部に下方に突出する一対の脚部２６，２６及び脚部６７，６７を有している。
【００２３】
薬液タンク２の脚部２６，２６は、底面２４において、それぞれ左端部付近及び右端部付近から下方に突出しており、左右方向に離間している。脚部２６は、水切り部２５よりも前方に設けられている。脚部２６の底面は水切り部２５の基部（水切り部２５と底面２４とが交わる部分）付近から前方に向けて下方に傾斜する傾斜面になっており、薬液タンク２の前端部付近に接地箇所が配置されている。脚部２６は、底面２４と一体に形成されている。
【００２４】
ブラケット６の脚部６７，６７は、底部６１の底面において、それぞれ左端部付近及び右端部付近から下方に突出しており、左右方向に離間している。脚部６７は、ブラケット６の底部６１の後部に設けられている。脚部６７は、底部６１と一体に形成されている。
【００２５】
水切り部２５の下端部は、薬液タンク２の脚部２６の下端部及びブラケット６の脚部６７の下端部よりも上方に位置している。
【００２６】
以上のような背負式動力噴霧機１では、薬液タンク２内の薬液が、ポンプ３の圧力により、ポンプ３及び調圧弁４を通過して、ノズルから噴霧されるようになっている。
【００２７】
特に、背負式動力噴霧機１では、液体を圧送するためのポンプ３は、薬液タンク２に対して後側に取り付けられており、薬液タンク２は、その底面２４に左右方向に延在し、底面２４よりも下方に突出する水切り部２５を有している。このため、ポンプ３及び調圧弁４等から液体が漏れた場合、前側へ向かう液体は、水切り部２５から下方に落下することになる。従って、漏れた液体が作業者に付着することを抑制できる。
【００２８】
また、背負式動力噴霧機１は、薬液タンク２に取り付けられポンプ３及び調圧弁４等を下方、後方及び側方より覆うブラケット６を備えており、ブラケット６の底部６１の前縁は、水切り部２５よりも上方に位置している。このため、ポンプ３及び調圧弁４等から液体が漏れた際に、前側へ向かう液体が水切り部２５を回り込みにくい。従って、液体が作業者に付着することをさらに抑制できる。
【００２９】
また、薬液タンク２及びブラケット６は、それぞれその下端部に下方に突出する脚部２６，２６及び脚部６７，６７を有しており、水切り部２５の下端部は、薬液タンク２及びブラケット６の脚部２６，２６及び脚部６７，６７の下端部よりも上方に位置している。このため、例えば、背負式動力噴霧機１を地面等に載置した際に、水切り部２５が接地せず、水切り部２５の摩耗及び変形等を抑制できる。
【００３０】
また、薬液タンク２の脚部２６は、水切り部２５よりも前方に配置されており、薬液タンク２の脚部２６の底面は、後方から前方に向かって下方に傾斜する傾斜面となっている。このため、薬液タンク２は、例えば、水切り部２５から前側の部分を成型する前型と、水切り部２５よりも後側の部分を成型する後型とにより成型することが可能であり、前型を離型する際に、脚部２６の傾斜面に沿って比較的容易に離型できる。すなわち、離型できないような形状（アンダーカット形状）ではないため、脚部２６の傾斜面に沿って前型を離型することは、比較的容易に行える。また、このように、水切り部２５及び脚部２６が薬液タンク２の底面２４と成型により一体に形成されているため、構造が簡単であり、製造コストを低減できる。
【００３１】
以上、本発明をその実施形態に基づき具体的に説明したが、本発明は上記実施形態に限定されるものではない。例えば、上記実施形態では、背負式散布装置は、薬液を噴霧する背負式動力噴霧機１であるが、他の液体を散布する装置であってもよい。
【符号の説明】
【００３２】
１…背負式動力噴霧機（背負式散布装置）、２…薬液タンク、３…ポンプ、６…ブラケット、２４…タンクの底面、２５…水切り部、２６…タンクの脚部、６１…ブラケットの底部、６７…ブラケットの脚部。
【図１】
2014113531.tif 000003
【図２】
2014113531.tif 000004
【図３】
2014113531.tif 000005
【図４】
2014113531.tif 000006
【図５】
2014113531.tif 000007
【図６】
2014113531.tif 000008
【図７】
2014113531.tif 000009
【図８】
2014113531.tif 000010